(57)【特許請求の範囲】
【請求項１】
撮像手段より出力される第１のデジタルビデオ信号が入力され、画像処理用フレームメモリを用いることなく、画素数の低減された第１の画像データを生成するとともに、該第１の画像データをフレームメモリに出力する画像加工手段を有する画像処理装置であって、
記憶媒体に記憶されている画像ファイルに基づいて、第２のデジタルビデオ信号を生成する変換手段と、
前記フレームメモリに記憶される画像データをビデオ信号に変換するビデオ変換回路とを有し、
前記変換手段は、前記記憶媒体に記憶されている複数の画像ファイルに基づいて、複数の前記第２のデジタルビデオ信号を順次生成し、
前記画像加工手段は、前記複数の第２のデジタルビデオ信号から、画素数の低減された複数の第２の画像データを順次生成し、該複数の第２の画像データを前記フレームメモリに出力し、
前記ビデオ変換回路は、前記フレームメモリに記憶される前記複数の第２の画像データをビデオ信号に変換することを特徴とする画像処理装置。
【請求項２】
撮像手段より出力される第１のデジタルビデオ信号が入力され、画像処理用フレームメモリを用いることなく、画像サイズの縮小された第１の画像データを生成するとともに、該第１の画像データをフレームメモリに出力する画像加工手段を有する画像処理装置であって、
記憶媒体に記憶されている画像ファイルに基づいて、第２のデジタルビデオ信号を生成する変換手段と、
前記フレームメモリに記憶される画像データをビデオ信号に変換するビデオ変換回路とを有し、
前記変換手段は、前記記憶媒体に記憶されている複数の画像ファイルに基づいて、複数の前記第２のデジタルビデオ信号を順次生成し、
前記画像加工手段は、前記複数の第２のデジタルビデオ信号から、画像サイズの縮小された複数の第２の画像データを順次生成し、該複数の第２の画像データを前記フレームメモリに出力し、
前記ビデオ変換回路は、前記フレームメモリに記憶される前記複数の第２の画像データをビデオ信号に変換することを特徴とする画像処理装置。
【請求項３】
請求項１または請求項２に記載の画像処理装置において、
前記画像加工手段は、前記第１のデジタルビデオ信号と前記第２のデジタルビデオ信号とから、前記第１の画像データおよび前記第２の画像データのいずれか一方の画像データを択一的に生成することを特徴とする画像処理装置。
【請求項４】
請求項１乃至請求項３のいずれか一項に記載の画像処理装置において、
前記画像加工手段は、前記第１のデジタルビデオ信号および前記第２のデジタルビデオ信号のいずれか一方の信号を、画像サイズまたは画素数を変更することなく前記フレームメモリに記憶することを特徴とする画像処理装置。
【請求項５】
請求項１または請求項２に記載の画像処理装置において、
前記変換手段は、前記画像処理用フレームメモリを用いることなく、前記第２のデジタルビデオ信号を生成することを特徴とする画像処理装置。
【請求項６】
請求項１または請求項５に記載の画像処理装置において、
前記画像加工手段は、前記第２のデジタルビデオ信号を間引くことにより画素数の低減された前記第２の画像データを生成することを特徴とする画像処理装置。
【請求項７】
請求項２または請求項５に記載の画像処理装置において、
前記画像加工手段は、前記第２のデジタルビデオ信号を間引くことにより画像サイズの縮小された前記第２の画像データを生成することを特徴とする画像処理装置。
【発明の詳細な説明】
【０００１】
【発明の属する技術分野】
本発明は、記録媒体に記録された映像をディスプレイ装置に映し出すためのビデオ信号を生成する画像処理装置に関する。
【０００２】
【従来の技術】
ハードディスク等の記録媒体に記録された複数の画像の一覧を表示するためのソフトウェアが知られている。このソフトウェアは、例えばパーソナルコンピュータ等の動作を制御することにより、記録媒体から複数の画像を取込むとともにそれらの画像を縮小してディスプレイに表示させるものである。
【０００３】
このようなソフトウェアを用いた場合の動作は以下のようなものである。
▲１▼記録媒体から画像ファイルを読み込む。
▲２▼画像ファイルを画像データに変換する。
▲３▼画像を同時に表示するため、画像を小さく加工する。
▲４▼加工後のデータをＣＲＴ等のディスプレイ用のメモリー（ＶＲＡＭ）に転送する。
▲５▼ＶＲＡＭに記憶した内容をディスプレイに表示する。
【０００４】
以上の動作を実現することによりテレビ画面上に一覧表示を行う装置として、例えば、図８に示すような装置が考えられる。図８において１０１はハードディスクの画像情報を読み込むハードディスクドライブ、１０２はハードディスクドライブ１０１により読み込んだ画像情報を記録する画像取込みメモリー、１０３は画像取込みメモリー１０２内の画像ファイルを画像データに変換するファイル変換回路、１０４はファイル変換回路１０３から出力された画像データを記録する画像処理メモリー、１０５は画像処理メモリー１０４内の画像データを加工して縮小画像のデータを作成し、加工後の画像データを出力する画像処理回路、１０６は画像処理回路１０５によって加工された画像データを格納するフレームメモリー、１０７はフレームメモリー１０６内の画像データをビデオ信号に変換し、ビデオ出力端子１０８を介して変換後のビデオ信号を出力するビデオ変換回路である。
【０００５】
ハードディスクドライブ１０１および画像取込みメモリー１０２により上述の▲１▼の動作を、ファイル変換回路１０３および画像処理メモリー１０４により上述の▲２▼の動作を、画像処理回路１０５により上述の▲３▼の動作を、フレームメモリー１０６により上述の▲４▼の動作を、ビデオ変換回路１０７により上述の▲５▼の動作をそれぞれ行うことにより、複数の画像に対して縮小加工を施すことができる。
【０００６】
【発明が解決しようとする課題】
しかし、上述の装置では、画像を縮小加工する際に一時的に画像を記憶しなければならず、読み込んだ画像を取込むための画像取込みメモリー１０２、画像を縮小加工するために画像データを記憶する画像処理メモリー１０４、およびテレビに写し出すための画像を記憶するフレームメモリー１０６と、あわせて３種類のメモリーが必要となり、装置のコストアップを招くという問題がある。
【０００７】
本発明の目的は、記録媒体に記録された画像をディスプレイ上に表示するための装置のメモリ数を少なくすることができる画像処理装置を提供することにある。
【０００８】
【課題を解決するための手段】
請求項１に記載の発明は、撮像手段より出力される第１のデジタルビデオ信号が入力され、画像処理用フレームメモリを用いることなく、画素数の低減された第１の画像データを生成するとともに、該第１の画像データをフレームメモリに出力する画像加工手段を有する画像処理装置に適用される。そして、記憶媒体に記憶されている画像ファイルに基づいて、第２のデジタルビデオ信号を生成する変換手段と、フレームメモリに記憶される画像データをビデオ信号に変換するビデオ変換回路とを有し、変換手段は、記憶媒体に記憶されている複数の画像ファイルに基づいて、複数の第２のデジタルビデオ信号を順次生成し、画像加工手段は、複数の第２のデジタルビデオ信号から、画素数の低減された複数の第２の画像データを順次生成し、該複数の第２の画像データをフレームメモリに出力し、ビデオ変換回路は、フレームメモリに記憶される複数の第２の画像データをビデオ信号に変換することを特徴とする。
請求項２に記載の発明は、撮像手段より出力される第１のデジタルビデオ信号が入力され、画像処理用フレームメモリを用いることなく、画像サイズの縮小された第１の画像データを生成するとともに、該第１の画像データをフレームメモリに出力する画像加工手段を有する画像処理装置に適用される。そして、記憶媒体に記憶されている画像ファイルに基づいて、第２のデジタルビデオ信号を生成する変換手段と、フレームメモリに記憶される画像データをビデオ信号に変換するビデオ変換回路とを有し、変換手段は、記憶媒体に記憶されている複数の画像ファイルに基づいて、複数の第２のデジタルビデオ信号を順次生成し、画像加工手段は、複数の第２のデジタルビデオ信号から、画像サイズの縮小された複数の第２の画像データを順次生成し、該複数の第２の画像データをフレームメモリに出力し、ビデオ変換回路は、フレームメモリに記憶される複数の第２の画像データをビデオ信号に変換することを特徴とする。
請求項３に記載の発明は、請求項１または請求項２に記載の画像処理装置において、第１のデジタルビデオ信号と第２のデジタルビデオ信号とから、第１の画像データおよび第２の画像データのいずれか一方の画像データを択一的に生成するように画像加工手段を構成したものである。
請求項４に記載の発明は、請求項１乃至請求項３のいずれか一項に記載の画像処理装置において、第１のデジタルビデオ信号および第２のデジタルビデオ信号のいずれか一方の信号を、画像サイズまたは画素数を変更することなくフレームメモリに記憶するように、画像加工手段を構成したものである。
請求項５に記載の発明は、請求項１または請求項２に記載の画像処理装置において、画像処理用フレームメモリを用いることなく、第２のデジタルビデオ信号を生成するように変換手段を構成したものである。
請求項６に記載の発明は、請求項１または請求項５に記載の画像処理装置において、第２のデジタルビデオ信号を間引くことにより画素数の低減された第２の画像データを生成するように、画像加工手段を構成したものである。
請求項７に記載の発明は、請求項２または請求項５に記載の画像処理装置において、第２のデジタルビデオ信号を間引くことにより画像サイズの縮小された第２の画像データを生成するように、画像加工手段を構成したものである。
【０００９】
なお、本発明の構成を説明する上記課題を解決するための手段の項では、本発明を分かり易くするために発明の実施の形態の図を用いたが、これにより本発明が実施の形態に限定されるものではない。
【００１０】
【発明の実施の形態】
以下、図１〜図７を用いて本発明による画像処理装置の一実施の形態について説明する。本実施の形態の画像処理装置は、後述する銀塩フィルムＦに記録された映像をテレビ受像機等のディスプレイ（不図示）に映し出すための装置への適用例であり、銀塩フィルムＦの複数駒の映像をディスプレイに縮小して一覧表示できるように構成されたものである。
【００１１】
図１において、１は現像済の銀塩フィルムＦの画像を読取り、その画像を例えばＣＣＩＲ勧告６０１等の規格のデジタルビデオ信号として出力するビデオカメラである。なお、銀塩フィルムＦは給送装置（不図示）により給送され、ビデオカメラ１の撮像範囲に導かれた駒を撮像することができる。２は画像処理を行う画像処理回路であり、画像処理回路２は、２種類のデジタルビデオ信号ラインＬ１およびＬ１０のいずれかを入力ラインとして選択するとともに、デジタルビデオ信号ラインＬ２，Ｌ３，Ｌ４のいずれかを出力ラインとして選択する切換回路２Ａと、デジタルビデオ信号Ｌ２を間引いて画像を所定のサイズに縮小するとともに、縮小した画像を後述するフレームメモリー３の指定された場所に格納するサムネイルキャプチャー回路２Ｂと、デジタルビデオ信号Ｌ３をフル画像のままフレームメモリー３の指定された場所に格納するフルキャプチャー回路２Ｃと、フレームメモリー３に記録した画像をデジタルビデオ信号に変換して出力するビデオ変換回路２Ｄとを備える。
【００１２】
図１において、３はディスプレイに映し出す映像を記録するフレームメモリー、４はデジタルビデオ信号を静止画として圧縮して画像ファイルを作るとともに、圧縮された画像ファイルを解凍してデジタルビデオ信号として出力する圧縮／解凍回路、５は画像ファイルを記録する画像ファイルメモリー、６はＣＰＵであり、画像処理回路２および圧縮／解凍回路４を制御してディスプレイに映し出すビデオ信号を作り出すとともに、後述するハードディスク７１から画像ファイルメモリー５に画像ファイルを取込み、あるいは画像ファイルメモリー５からハードディスク７１に画像ファイルを格納させるファイル転送を行う際の動作制御を行う。
【００１３】
図１において、７はハードディスク７１に記録された画像ファイルを取込むとともに、画像ファイルをハードディスク７１に格納するハードディスクドライバ、８はデジタルビデオ信号をアナログビデオ信号に変換しビデオ信号出力端子９を介して出力するビデオ変換回路である。１０はハードディスク７１に記録された画像ファイルのうち画面に表示するものを選択する画像ファイル選択装置であり、画像ファイル選択装置１０には画像ファイルを番号を介して指定するための番号入力スイッチ（不図示）が配置されている。
【００１４】
図１において、ＳＷ１はソース選択スイッチであり、ソース選択スイッチＳＷ１がオンの時にはハードディスク７１に記録された画像ファイルを映像ソースとし、ソース選択スイッチＳＷ１がオフの時にはフィルムＦの画像を映像ソースとして、それぞれディスプレイに映し出すように映像ソースを切換えるためのものである。ＳＷ２は映像選択スイッチであり、映像選択スイッチＳＷ２がオンの時には縮小した複数の画像をテレビ画面に配列して同時に表示する複数画像同時表示モードが選択され、映像選択スイッチＳＷ２がオフの時には１つの画像をテレビ画面一杯に表示する単一画像表示モードが選択される。
【００１５】
ＳＷ３は画像取込みスイッチであり、ソース選択スイッチＳＷ１がオンの場合、すなわちハードディスク７１の画像ファイルを映像ソースとする場合には、画像取込みスイッチＳＷ３がオンする度毎にハードディスク７１から画像をフレームメモリー３に取込み、ディスプレイに映し出す。また、ソース選択スイッチＳＷ１がオフの場合、すなわちフィルムＦの映像を映像ソースとする場合には、画像取込みスイッチＳＷ３がオンする度毎にビデオカメラ１で撮像した画像を画像ファイルとしてハードディスク７１に記録する。
【００１６】
＜メインルーチン＞
次に、図２〜図７を用いて本実施の形態の画像処理装置の動作について説明する。図２のステップＳ１ではＣＰＵ６に内蔵されたメモリーのリセットおよび周辺インターフェースの設定を行う。ステップＳ２では画像取込みスイッチＳＷ３の状態を読み込み、画像取込みスイッチＳＷ３がオフになるのを待ってステップＳ３へ進む。ステップＳ３では画像取込みスイッチＳＷ３の状態を読み込み、画像取込みスイッチＳＷ３がオンになるのを待ってステップＳ４へ進む。ステップＳ４ではソース選択スイッチＳＷ１の状態を読み込み、ソース選択スイッチＳＷ１がオンであると判定されればステップＳ５へ進む。一方、ソース選択スイッチＳＷ１がオフであると判定されればステップＳ８へ進み、後述する画像取込みの動作を行う。ステップＳ５では映像選択スイッチＳＷ２の状態を読み込み、映像選択スイッチＳＷ２がオンであると判定されればステップＳ６へ進み、後述するサムネイル表示の動作を行う。一方、ステップＳ５において映像選択スイッチＳＷ２がオフであると判定されればステップＳ７へ進み、後述するフル画面表示の動作を行う。
【００１７】
＜サムネイル表示＞
次に、図３を用いてステップＳ６（図２）のサムネイル表示の動作について説明する。図３のステップＳ６０１では、ＣＰＵ６が画像ファイル選択装置１０によって指定された番号を読み込み、ハードディスク７１に記録された複数の画像ファイルのうち、その番号に対応するファイルを認識する。例えば画像ファイル装置１０により「１０」の数列が入力されれば、１０番目のファイルを示しているものと判断する。ステップＳ６０２ではステップＳ６０１で指定された番号に対応する画像ファイルをハードディスク７１から読み込む。
【００１８】
ステップＳ６０３では、ステップＳ６０２で読み込んだ画像ファイルを画像ファイルメモリー５に転送し、読み込んだ画像ファイルを画像ファイルメモリー５に記録する。ステップＳ６０４ではＣＰＵ６から信号ラインＬ１２を介して圧縮／解凍回路４に命令を送出し、画像ファイルメモリー５に記録された画像ファイルを圧縮／解凍回路４によって解凍する。解凍された画像ファイルはデジタルビデオ信号として信号ラインＬ１０を介して出力される。ステップＳ６０５では画像ファイルの解凍が完了したか否か判断し、解凍が完了したと判定されればステップＳ６０６へ進み、解凍が完了していないと判定されればステップＳ６０５を繰返す。
【００１９】
ステップＳ６０６では信号ラインＬ１１を介してＣＰＵ６から画像処理回路２にサムネイルキャプチャーさせるための命令を送出する。この命令に応じて切換回路２Ａは圧縮／解凍回路４からの信号ラインＬ１０をサムネイルキャプチャー回路２Ｂへの信号ラインＬ２へ接続する。これにより、画像ファイルを解凍して得た１画面分の画像信号（デジタルビデオ信号）はサムネイルキャプチャー回路２Ｂに入力される。サムネイルキャプチャー回路２Ｂは入力されたデジタルビデオ信号を間引くことにより画像を縮小し、縮小画像の画像信号を信号ラインＬ５を介してフレームメモリー３に送る。これにより、縮小した画像がフレームメモリー３に記憶される。
【００２０】
次に、ステップＳ６０７では１画面上に同時表示するすべての画像について画像ファイルからの取込みが完了しているか否か判断し、未だ全ての画像ファイルについての取込みが完了していないものと判定されればステップＳ６０８へ進み、すでに全ての画像ファイルについて取込みが完了しているものと判定されればシーケンスを終了する。ステップＳ６０８へ進んだ場合には、次に読み込む画像ファイルを設定してステップＳ６０２へ戻り、次の画像ファイルについてステップＳ６０２〜ステップＳ６０６の動作を行う。このように元画像の数だけステップＳ６０２〜ステップＳ６０６の動作を繰返すことにより、複数の画像ファイルの元画像を縮小し、これを配列した構成の画像がフレームメモリ３に格納される。
【００２１】
以上の動作によってフレームメモリー３に格納された画像データは信号ラインＬ７を介してビデオ変換回路２Ｄに導かれる。ビデオ変換回路２Ｄにおいて読取られた画像データはデジタルビデオ信号に変換されて信号ラインＬ８を介して出力される。信号ラインＬ８を介して伝達されたデジタルビデオ信号はビデオ変換回路８によってアナログビデオ信号に変換され、ビデオ信号出力端子９を介して出力される。このアナログビデオ信号をディスプレイ装置に入力することにより、画像ファイル選択装置１０によって選択された複数の画像ファイルの画像が縮小配列した画像がディスプレイ装置の画面一杯に表示される。
【００２２】
ここで、取込まれた４つの画像をそれぞれ４分の１の面積に縮小し、それら縮小した４つの画像を１画面に同時に表示する場合の動作の一例について、図４を用いて説明する。図４（ａ）はハードディスク７１に記録された元画像を、図４（ｂ）は縮小後の画像をそれぞれ示しているが、説明の簡略化のため、走査線の数を１６本とするとともに水平方向のデータ数も１６個としている。図４（ａ）および図４（ｂ）では走査線を数字で、水平方向のデータをアルファベットでそれぞれ表している。
【００２３】
縮小画像を作成する際には、以下の動作を行う。
▲１▼奇数の走査線のデータのみを取込む。
▲２▼次に、取込んだ各走査線のデータを水平方向に１つおきに取込む。このとき取込む走査線毎に取込み開始位置をＡ、Ｂ、Ａ、Ｂ、・・・と交互に繰返す。この動作により、画像を構成する各画素のデータを走査線について１本おきに間引くとともに、水平方向についても１つおきに取込んだことになる。
【００２４】
これにより、図４（ｂ）に示す縮小画像が作成される。縮小した画像を他の縮小した画像の横に配置する場合には、フレームメモリー３に取込む位置を水平方向に８データ分だけずらせばよい。また、縮小した画像を互いに上下方向に並べる場合にはフレームメモリー３に取込む位置を走査線８本分だけずらせばよい。
【００２５】
図５（ａ）〜（ｈ）は以上の動作による画像の生成過程を示している。ステップＳ６０１〜ステップＳ６０５の動作によって、ハードディスク７１から図５（ａ）に示す画像が取込まれる。この段階では図５（ａ）の画像はテレビの画面一杯に表示される大きさのものであるが、ステップＳ６０６の動作により画像を縮小してフレームメモリー３に取込まれた段階では、図５（ｂ）に示すようにテレビ画面の４分の１の大きさに縮小されている。図５（ｃ）に示す画像はステップＳ６０８において次に指定された画像でありステップＳ６０２〜ステップＳ６０５の動作により取込まれた後、ステップＳ６０６の動作により縮小され、図５（ｄ）に示すようにフレームメモリー３に記憶される。
【００２６】
図５（ｅ）および図５（ｇ）に示す残りの２つの画像についても、同様にステップＳ６０８において順次指定され、それぞれステップＳ６０２〜ステップＳ６０５において取込まれる。さらに各画像はステップＳ６０６において縮小され、図５（ｆ）および図５（ｈ）に示すようにフレームメモリー３に記憶される。図５（ｈ）に示すように、ディスプレイには４分割されたそれぞれの領域ごとに４つの元画像が縮小配置されて表示されることになる。
【００２７】
＜フル画面表示＞
次に、図６を用いてステップＳ７（図２）のフル画面表示の動作について説明する。図６のステップＳ７０１では、ＣＰＵ６が画像ファイル選択装置１０により指定された番号を読み込み、ハードディスク７１に記録された複数の画像ファイルのうち、その番号に対応するファイルを認識する。ステップＳ７０２ではステップＳ７０１で指定された番号に対応する画像ファイルをハードディスク７１から読み込む。
【００２８】
ステップＳ７０３では、ステップＳ７０２で読み込んだ画像ファイルを画像ファイルメモリー５に転送し、画像ファイルを画像ファイルメモリー５に記録する。ステップＳ７０４ではＣＰＵ６から信号ラインＬ１２を介して圧縮／解凍回路４に命令を送出し、画像ファイルメモリー５に記録された画像ファイルを圧縮／解凍回路４によって解凍する。解凍された画像ファイルはデジタルビデオ信号として信号ラインＬ１０を介して出力される。ステップＳ７０５では画像ファイルの解凍が完了したか否か判断し、解凍が完了したと判定されればステップＳ７０６へ進み、解凍が完了していないと判定されればステップＳ７０５を繰返す。
【００２９】
ステップＳ７０６では、ＣＰＵ６が信号ラインＬ１１を介してデジタルビデオ信号ラインＬ１０からの信号をフルキャプチャーさせるための命令を画像処理回路２に向けて送出する。この命令に応じて切換回路２Ａは圧縮／解凍回路４からの信号ラインＬ１０をフルキャプチャー回路２Ｃへの信号ラインＬ３へ接続する。これにより、画像ファイルを解凍して得た１画面分の画像信号（デジタルビデオ信号）がフルキャプチャー回路２Ｃに入力される。フルキャプチャー回路２Ｃは入力されたデジタルビデオ信号をフレームメモリー３に格納する。
【００３０】
フレームメモリー３に格納された画像データは信号ラインＬ７を介してビデオ変換回路２Ｄに導かれ、ビデオ変換回路２Ｄにおいて読取られた画像データはデジタルビデオ信号に変換されて信号ラインＬ８を介して出力される。信号ラインＬ８を介して伝達されたデジタルビデオ信号はビデオ変換回路８によってアナログビデオ信号に変換され、ビデオ信号出力端子９を介して出力される。このアナログビデオ信号をディスプレイ装置に入力することにより、画像ファイル選択装置１０によって選択された画像ファイルの画像がディスプレイ装置の画面一杯に表示される。
【００３１】
＜画像取込み＞
次に、図７を用いてステップＳ８（図２）の画像取込みの動作について説明する。図７のステップＳ８０１ではＣＰＵ６から画像処理回路２に信号ラインＬ１１を介して所定の命令を送出する。この命令を受けて切換回路２Ａはビデオカメラ１からのデジタル信号ラインＬ１を圧縮／解凍回路４への信号ラインＬ４に接続する。この結果、圧縮／解凍回路４にはビデオカメラ１からのデジタルビデオ信号が入力される。
【００３２】
続くステップＳ８０２では、ＣＰＵ６から圧縮／解凍回路４に向けて信号ライン１２を介して圧縮動作の命令を送出する。この結果、圧縮／解凍回路４は入力されたビデオカメラ１からのデジタルビデオ信号を圧縮し、圧縮された画像を画像ファイルメモリー５に記録する。ステップＳ８０３では圧縮／解凍回路４による圧縮動作の完了を待ち、ステップＳ８０４へ進む。ステップＳ８０４では画像ファイルメモリー５に記録された圧縮後の画像を読み込む。続くステップＳ８０５では、ステップＳ８０４において読み込んだ画像をハードディスクドライバ７に転送して画像ファイルをハードディスク７１に記録し、シーケンスを終了する。
【００３３】
本実施の形態の画像処理装置では、ハードディスク７１に画像ファイルとして記録された画像をデジタルビデオ信号に変換して画像処理回路２に伝達し、画像処理回路２では信号の間引き動作により画像に縮小加工を施すようにしているので、複数の縮小画像を一覧表示する表示画像を生成するに際し、画像処理用のメモリーを必要としない。このため少ないメモリーの数で装置を構成することができ、装置の低コスト化を図ることができる。また、本実施の形態の装置ではビデオカメラ１からのデジタルビデオ信号を画像処理回路２に入力できるように構成されており、このデジタルビデオ信号に対してもハードディスク７１に記録された画像に対するのと同一の方法を用いて画像の縮小加工を行うことができる。このため、ビデオカメラ１で撮像した映像に縮小加工を施すために画像処理用のメモリー等を追加する必要はない。ビデオカメラ１の映像についても一覧表示形式によって表示することが可能である。
【００３４】
画像ファイル選択装置として種々の装置を用いることができる。例えば、画像ファイルに対応した番号をキーボードにより選択する装置を用いてもよいし、テレビ受像機のチャンネル選択に用いるような遠隔操作（リモートコントロール）によって番号を指定する装置としてもよい。また、画像を番号で指定する代りに、画像を特定するマークや名称によって所定の画像を選択できるようにしてもよい。
【００３５】
上述の説明では４つの縮小画像を配置する場合について例示したが、縮小画像の数は任意である。また、画像の加工は画像の縮小に限定されず、例えば画像の回転等の加工を行う場合についても適用できる。メモリーを用いることなくデジタルビデオ信号を処理する種々の画像加工に対して同様に適用される。
【００３６】
【発明の効果】
請求項１に記載の発明による画像処理装置では、画像ファイルに基づいて画素数を低減した複数のデジタルビデオ信号がフレームメモリに記憶されている場合には、画素数を減じた複数の画像を一覧表示できる。
請求項２に記載の発明による画像処理装置では、画像ファイルに基づいて画像サイズを縮小した複数のデジタルビデオ信号がフレームメモリに記憶されている場合には、画像サイズが小さい複数の画像を一覧表示できる。
【図面の簡単な説明】
【図１】本実施の形態の画像処理装置を示すブロック図。
【図２】本実施の形態の画像処理装置の動作シーケンスを示すフローチャート。
【図３】本実施の形態の画像処理装置の動作シーケンスを示すフローチャート。
【図４】画像の縮小動作を示す概念図であり、（ａ）は元画像を示す図、（ｂ）は縮小後の画像を示す図。
【図５】画像の縮小動作を示す図であり、（ａ）、（ｃ）、（ｅ）および（ｇ）は元画像を示す図、（ｂ）、（ｄ）、（ｆ）および（ｈ）は縮小加工後の画像を示す図。
【図６】本実施の形態の画像処理装置の動作シーケンスを示すフローチャート。
【図７】本実施の形態の画像処理装置の動作シーケンスを示すフローチャート。
【図８】画像の縮小加工を行うための従来の装置を示す図。
【符号の説明】
１      ビデオカメラ
２      画像処理回路
３      フレームメモリ
４      圧縮／解凍回路
７      ハードディスクドライバ
８      ビデオ変換回路
７１    ハードディスク
【図１】
0004045612.tif 000002
【図２】
0004045612.tif 000003
【図３】
0004045612.tif 000004
【図４】
0004045612.tif 000005
【図５】
0004045612.tif 000006
【図６】
0004045612.tif 000007
【図７】
0004045612.tif 000008
【図８】
0004045612.tif 000009